(57)【要約】      （修正有）【課題】少なくとも２つのスライドレールを含むスライドレールアセンブリを提供する。【解決手段】スライドレールアセンブリ２０は第１のレール２８と、第２のレール３０と、位置決め装置３２とを含む。第１のレールは第１の構造４０及び第２の構造４２を含む。第２のレールは第１のレールに対して可動である。位置決め装置は第２のレールに配置されるとともに、弾性部材６６及び位置決め部材６４を含む。弾性部材は位置決め部材に弾性力を提供する。第２のレールが第１のレールに対して第１の位置から第２の位置へと動かされた場合、位置決め部材は弾性力を通じて係合位置に移動して第１の構造と当接する。第２のレールが第１のレールに対して第２の位置から第３の位置へと動かされた場合、位置決め部材は、第１のレールの第２の構造の案内により係合位置から非係合位置に移動し、第１の構造ともはや当接しない。【選択図】図３
2020014829.tif 000002
【特許請求の範囲】
【請求項１】
第１の構造及び第２の構造を含む第１のレールと、
前記第１のレールに対して可動な第２のレールと、
前記第２のレールに配置される位置決め装置であって、該位置決め装置は弾性部材及び位置決め部材を含み、該位置決め部材は該弾性部材により生成される弾性力に反応して初期位置に位置する、位置決め装置と、
を含むスライドレールアセンブリであって、
前記第２のレールが前記第１のレールに対して第１の位置から第２の位置へと第１の方向に動かされた場合、前記位置決め部材は前記弾性部材により放たれる弾性力を通じて前記初期位置から係合位置に移動して前記第１のレールの第１の構造と当接し、
前記第２のレールが前記第１のレールに対して前記第２の位置から第３の位置へと前記第１の方向に動かされた場合、前記位置決め部材は、前記第１のレールの第２の構造の案内により前記係合位置から非係合位置に移動し、前記第１のレールの第１の構造ともはや当接しない、スライドレールアセンブリ。
【請求項２】
前記第２のレールに対して可動な第３のレールと、前記第２のレールに枢結される同期部材とをさらに含み、
前記第３のレールは同期部を有し、前記第２のレールと前記第３のレールとは、該同期部及び前記同期部材とが当接することにより同期的に動かすことができ、
前記第１のレールは第１の解消部をさらに含み、前記第２のレールが前記第１のレールに対して前記第２の位置に位置する場合、前記第１のレールの第１の解消部は前記第２のレールと前記第３のレールとの間の同期関係を解消するように構成され、
前記第１の解消部は傾斜面又はキャンバー面を含み、前記同期部材は、前記第２のレールと前記第３のレールとの間の同期関係を解消するために、前記第１の解消部と接触して偏向できる、請求項１に記載のスライドレールアセンブリ。
【請求項３】
前記第１の構造は孔又は凹部であり、前記第２の構造は前記第１の構造に隣接し、前記第２の構造は傾斜面又はキャンバー面を含む、請求項１又は２に記載のスライドレールアセンブリ。
【請求項４】
前記第１の位置は引っ込め位置であり、前記第２の位置は第１の伸長位置であり、前記第３の位置は第２の伸長位置である、請求項１乃至３のいずれか一項に記載のスライドレールアセンブリ。
【請求項５】
前記第２のレールに配置される保持部材をさらに含み、
前記位置決め部材は前記第２のレールに枢結され、
前記位置決め部材が前記非係合位置に位置する場合、前記位置決め部材は前記保持部材により前記非係合位置で保持することができ、
前記保持部材は柔軟部を有し、該柔軟部は前記位置決め部材に保持力を作用させることができ、
前記第１のレールは第２の解消部をさらに含み、前記第２のレールが前記第１のレールに対して前記第１の位置へと第２の方向に動かされた場合、前記位置決め部材は前記保持力から解放されて、前記第１のレールの第２の解消部の案内により前記非係合位置から前記初期位置に戻り、
前記第１のレールの第２の解消部は傾斜面又はキャンバー面を含む、請求項１乃至４のいずれか一項に記載のスライドレールアセンブリ。
【請求項６】
前記第１のレールに配置される操作部材をさらに含み、該操作部材は第１のブロック部を含み、前記第２のレールは第２のブロック部を有し、
前記第２のレールが前記第１のレールに対して前記第２の位置に動かされた場合、前記第１のブロック部及び前記第２のブロック部は互いを妨害して前記第２のレールが前記第１の方向に移動するのを防止し、
前記操作部材は、前記第２のレールが前記第１のレールに対して前記第３の位置へと前記第１の方向に移動できるように、前記第１のブロック部を駆動しブロック位置から離れさせ、前記第２のレールの第２のブロック部をもはや妨害しないようにさせるよう操作可能であり、
前記スライドレールアセンブリは前記第１のレールと前記第２のレールとの間に配置される補助摺動装置をさらに含み、該補助摺動装置は、前記第１のレール及び前記第２のレールを支持するように構成された複数のボールをそれぞれが含む一対のビードストリップを含み、
前記第２のレールは前記ビードストリップのそれぞれの後端に対応する後ろ側ブロック部を含み、前記第１のレールは前記ビードストリップのそれぞれの前端に対応する前側ブロック部を有し、前記ビードストリップのそれぞれは前記第１のレールの前側ブロック部と前記第２のレールの後ろ側ブロック部との間に位置し、
前記第２のレールが前記第１のレールに対して前記第２の位置に位置する場合、前記ビードストリップのぞれぞれの前端と前記第１のレールの前側ブロック部との間に間隙がある、請求項１乃至５のいずれか一項に記載のスライドレールアセンブリ。
【請求項７】
第１の構造、第２の構造及び第１の解消部を含む第１のレールと、
前記第１のレールに対して可動な第２のレールと、
前記第２のレールに対して可動な第３のレールであって、該第３のレールは同期部を有する、第３のレールと、
前記第１のレールに配置される操作部材であって、該操作部材は第１のブロック部を含み、前記第２のレールは第２のブロック部を有する、操作部材と、
前記第２のレールに配置される位置決め装置であって、該位置決め装置は弾性部材及び位置決め部材を含み、該位置決め部材は該弾性部材により生成される弾性力に反応して初期位置に位置する、位置決め装置と、
前記第２のレールに配置される同期部材と、
を含むスライドレールアセンブリであって、
前記第２のレール及び前記第３のレールは、前記第１のレールの第１の解消部が前記第２のレールと前記第３のレールとの間の同期関係を解消するまで、前記同期部と前記同期部材との当接により前記第１のレールに対して第１の位置から第２の位置へと第１の方向に同期的に動かすことができ、
前記第２のレール及び前記第３のレールが前記第２の位置にある場合、前記位置決め部材は、前記弾性部材によって放たれる弾性力を通じて前記初期位置から係合位置に動かされて前記第１のレールの第１の構造と当接し、前記第２のレールが前記第１のレールに対して第２の方向に動くのを防止し、前記操作部材の第１のブロック部がブロック位置に位置する場合、前記第１のブロック部及び前記第２のブロック部は互いを妨害して前記第２のレールが前記第１の方向に移動するのを防止でき、
前記操作部材は、前記第２のレールが前記第１のレールに対して第３の位置へと前記第１の方向に移動できるように、前記第１のブロック部を駆動し前記ブロック位置から離れさせ、前記第２のブロック部をもはや妨害しないようにさせるよう操作可能であり、前記位置決め部材は、前記第１のレールの第２の構造の案内により前記係合位置から非係合位置に動かされ、前記第１のレールの第１の構造ともはや当接しない、スライドレールアセンブリ。
【請求項８】
前記位置決め部材は前記第２のレールに枢結され、
前記位置決め部材が前記非係合位置に位置する場合、前記位置決め部材は保持部材により前記非係合位置で保持することができ、
前記保持部材は柔軟部を有し、該柔軟部は前記位置決め部材に保持力を作用させることができる、請求項７に記載のスライドレールアセンブリ。
【請求項９】
前記第１のレールは第２の解消部をさらに含み、前記第２のレールが前記第１のレールに対して前記第１の位置へと第２の方向に動かされた場合、前記位置決め部材は前記第１のレールの第２の解消部の案内により前記非係合位置から前記初期位置に戻る、請求項７又は８に記載のスライドレールアセンブリ。
【請求項１０】
前記第１のレールと前記第２のレールとの間に配置される補助摺動装置をさらに含み、該補助摺動装置は、前記第１のレール及び前記第２のレールを支持するように構成された複数のボールをそれぞれが含む一対のビードストリップを含み、
前記第２のレールは前記ビードストリップのそれぞれの後端に対応する後ろ側ブロック部を有し、前記第１のレールは前記ビードストリップのそれぞれの前端に対応する前側ブロック部を含み、前記ビードストリップのそれぞれは前記第１のレールの前側ブロック部と前記第２のレールの後ろ側ブロック部との間に位置し、
前記第２のレールが前記第１のレールに対して前記第２の位置に位置する場合、前記ビードストリップのぞれぞれの前端と前記第１のレールの前側ブロック部との間に間隙がある、請求項７乃至９のいずれか一項に記載のスライドレールアセンブリ。
【発明の詳細な説明】
【技術分野】
【０００１】
本発明はスライドレールアセンブリに関し、より具体的には少なくとも２つのスライドレールを含むスライドレールアセンブリに関する。
【背景技術】
【０００２】
スライドレールアセンブリは幅広く用いられている。例えば、スライドレールアセンブリはキャビネットに対して可動な引き出しを取り付けるのに又はラック（又はキャビネット）に対して可動な電子機器のシャーシを取り付けるのに用いられる。スライドレールアセンブリは通常３つのスライドレールを有し、所謂３部構成のスライドレールアセンブリ（three-slide-rail  assembly）を形成する。
【０００３】
例えば、３部構成のスライドレールアセンブリは、互いに可動に接続される第１のレール、第２のレール及び第３のレールを含む。第２のレールは第１のレールに対して伸長位置に位置することができ、第２のレールが伸長位置に位置する場合、第２のレール及び第１のレールは、第２のレールが第１のレールに対して所定の方向に任意に開いたり引っ込められたりするのを防止するために互いに連結する係合手段を有するのが一般的である。係合を解消する従来の方法では、第３のレールを変位させて係合手段の係合関係を解消するのが一般的である。あるいは、ユーザーは係合手段の関連部品を手動で直接操作して係合手段の係合関係を解消する。
【０００４】
特許文献１には、中間スライドトラック２に配置される位置決め装置６が開示されている。内側スライドトラック１及び中間スライドトラック２が外側スライドトラック３に対して引っぱられて伸長位置に移動した場合、中間スライドトラック２は外側スライドトラック３に対して伸長位置決め状態で保持される。引っ込め操作のために、特許文献１には、内側スライドトラック及び中間スライドトラックが外側スライドトラックに対して引っ込め可能なように内側スライドトラックを中間スライドトラックに対して引っ込めることを通じて伸長位置決め状態が解消されることが開示されている。しかしながら、内側スライドトラックが中間スライドトラックから取り外された場合、中間スライドトラックは外側スライドトラックに対してまだ伸長状態にある。もしユーザーが外側スライドトラックに対して中間スライドトラックを引っ込めたい場合、ユーザーは、中間スライドトラックを外側スライドトラックに対して引っ込めることができるよう中間スライドトラックの後部まで手を伸ばして位置決め装置を直接操作して中間スライドトラックと外側スライドトラックとの間の位置決め関係を解消しなければならない。あまり操作が簡便でないことのは明らかである。とりわけ、スライドトラックがラックに取り付けられている場合、中間スライドトラックと外側スライドトラックとの間の位置決め関係を解消するためにユーザーがラック内へと手を伸ばす必要のあるこのような操作はユーザーにとって利便性を欠いている。
【先行技術文献】
【特許文献】
【０００５】
【特許文献１】米国特許第６９９７６１１号明細書
【特許文献２】米国特許第１００４１５３５号明細書
【発明の概要】
【発明が解決しようとする課題】
【０００６】
上記に鑑み、様々な市場の要求に応じて異なるスライドレール製品をどのように開発するかが議論する余地のある課題となっている。
【０００７】
本発明は少なくとも２つのスライドレールを含むスライドレールアセンブリに関する。
【課題を解決するための手段】
【０００８】
本発明の一実施形態によれば、スライドレールアセンブリは第１のレールと、第２のレールと、位置決め装置とを含む。第１のレールは第１の構造及び第２の構造を含む。第２のレールは第１のレールに対して可動である。位置決め装置は第２のレールに配置されるとともに、弾性部材及び位置決め部材を含む。位置決め部材は弾性部材により生成される弾性力に反応して初期位置に位置する。第２のレールが第１のレールに対して第１の位置から第２の位置へと第１の方向に動かされた場合、位置決め部材は弾性部材により放たれる弾性力を通じて初期位置から係合位置に移動して第１のレールの第１の構造と当接する。第２のレールが第１のレールに対して第２の位置から第３の位置へと第１の方向に動かされた場合、位置決め部材は、第１のレールの第２の構造の案内により係合位置から非係合位置に移動し、第１のレールの第１の構造ともはや当接しない。
【０００９】
スライドレールアセンブリは第２のレールに対して可動な第３のレールと、第２のレールに枢結される同期部材とをさらに含むことが好ましい。第３のレールは同期部を有する。第２のレールと第３のレールとは、同期部及び同期部材とが当接することにより同期的に動かすことができる。
【００１０】
第１のレールは第１の解消部（first  severing  feature）をさらに含むことが好ましい。第２のレールが第１のレールに対して第２の位置に位置する場合、第１のレールの第１の解消部は第２のレールと第３のレールとの間の同期関係を解消するように構成されている。
【００１１】
第１の解消部は傾斜面又はキャンバー面を含み、同期部材は、第２のレールと第３のレールとの間の同期関係を解消するために、第１の解消部と接触して偏向できることが好ましい。
【００１２】
第１の構造は孔又は凹部であることが好ましい。第２の構造は第１の構造に隣接し、第２の構造は傾斜面又はキャンバー面を含む。
【００１３】
第１の位置は引っ込め位置であり、第２の位置は第１の伸長位置であり、第３の位置は第２の伸長位置であることが好ましい。
【００１４】
スライドレールアセンブリは第２のレールに配置される保持部材をさらに含むことが好ましい。位置決め部材は第２のレールに枢結される。位置決め部材が非係合位置に位置する場合、位置決め部材は保持部材により非係合位置で保持することができる。
【００１５】
保持部材は柔軟部を有することが好ましい。柔軟部は位置決め部材に保持力を作用させることができる。
【００１６】
第１のレールは第２の解消部をさらに含むことが好ましい。第２のレールが第１のレールに対して第１の位置へと第２の方向に動かされた場合、位置決め部材は保持力から解放されて、第１のレールの第２の解消部の案内により非係合位置から初期位置に戻る。
【００１７】
第１のレールの第２の解消部は傾斜面又はキャンバー面であることが好ましい。
【００１８】
スライドレールアセンブリは第１のレールに配置される操作部材をさらに含むことが好ましい。操作部材は第１のブロック部を含む。第２のレールは第２のブロック部を有する。第２のレールが第１のレールに対して第２の位置に動かされた場合、第１のブロック部及び第２のブロック部は互いを妨害して第２のレールが第１の方向に移動するのを防止する。
【００１９】
操作部材は、第２のレールが第１のレールに対して第３の位置へと第１の方向に移動できるように、第１のブロック部を駆動しブロック位置から離れさせ、第２のレールの第２のブロック部をもはや妨害しないようにさせるよう操作可能であることが好ましい。
【００２０】
スライドレールアセンブリは第１のレールと第２のレールとの間に配置される補助摺動装置をさらに含むことが好ましい。補助摺動装置は一対のビードストリップ（bead  strips）を含む。ビードストリップのそれぞれは第１のレール及び第２のレールを支持するように構成された複数のボールを含む。
【００２１】
第２のレールはビードストリップのそれぞれの後端に対応する後ろ側ブロック部を含むことが好ましい。第１のレールはビードストリップのそれぞれの前端に対応する前側ブロック部を有する。ビードストリップのそれぞれは第１のレールの前側ブロック部と第２のレールの後ろ側ブロック部との間に位置する。第２のレールが第１のレールに対して第２の位置に位置する場合、ビードストリップのぞれぞれの前端と第１のレールの前側ブロック部との間に間隙がある。
【００２２】
本発明の別の実施形態によれば、スライドレールアセンブリは、第１のレールと、第２のレールと、第３のレールと、操作部材と、位置決め装置と、同期部材とを含む。第１のレールは第１の構造、第２の構造及び第１の解消部を含む。第２のレールは第１のレールに対して可動である。第３のレールは第２のレールに対して可動であり、同期部を有する。操作部材は第１のレールに配置されるとともに、第１のブロック部を含む。第２のレールは第２のブロック部を有する。位置決め装置は第２のレールに配置されるとともに、弾性部材及び位置決め部材を含む。位置決め部材は弾性部材により生成される弾性力に反応して初期位置に位置する。同期部材は第２のレールに配置される。第２のレール及び第３のレールは、第１のレールの第１の解消部が第２のレールと第３のレールとの間の同期関係を解消するまで、同期部と同期部材との当接により第１のレールに対して第１の位置から第２の位置へと第１の方向に同期的に動かすことができる。第２のレール及び第３のレールが第２の位置にある場合、位置決め部材は、弾性部材によって放たれる弾性力を通じて初期位置から係合位置に動かされて第１のレールの第１の構造と当接し、第２のレールが第１のレールに対して第２の方向に動くのを防止し、操作部材の第１のブロック部がブロック位置に位置する場合、第１のブロック部及び第２のブロック部は互いを妨害して第２のレールが第１の方向に移動するのを防止できる。操作部材は、第２のレールが第１のレールに対して第３の位置へと第１の方向に移動できるように、第１のブロック部を駆動しブロック位置から離れさせ、第２のブロック部をもはや妨害しないようにさせるよう操作可能である。位置決め部材は、第１のレールの第２の構造の案内により係合位置から非係合位置に動かされ、第１のレールの第１の構造ともはや当接しない。
【００２３】
様々な図面に図示する下記の好ましい実施形態の詳細な説明を読み終えた後、本発明の上記の目的及び他の目的が当業者に間違いなく明らかになる。
【図面の簡単な説明】
【００２４】
【図１】図１は、ラックに取り付けられた本発明の一実施形態に係るスライドレールアセンブリを示す図である。
【図２】図２は、本発明の一実施形態に係るスライドレールアセンブリが組み立てられた状態を示す図である。
【図３】図３は、本発明の一実施形態に係るスライドレールアセンブリが分解された状態を示す。
【図４】図４は、分解された状態の本発明の一実施形態に係るスライドレールアセンブリの位置決め装置、同期部材、保持部材及び第２のレールを示す図である。
【図５】図５は、組み立てられた状態の本発明の一実施形態に係るスライドレールアセンブリの位置決め装置、同期部材、保持部材及び第２のレールを示す図である。
【図６】図６は、本発明の一実施形態に係るスライドレールアセンブリの第１のレールに対して引っ込められた第２のレール及び第３のレールを示す図である。
【図７】図７は、図６の領域Ａを示す部分拡大図である。
【図８】図８は、本発明の一実施形態に係る、第１のレールに対して所定の位置へと第１の方向に同期的に動かされる第２のレール及び第３のレールを示す図である。
【図９】図９は、図８の領域Ａを示す部分拡大図である。
【図１０】図１０は、本発明の一実施形態に係る、第２のレールが所定の位置に位置し且つ第１のレールの操作部材の一部が第２のレールと係合した状態を示す斜視図である。
【図１１】図１１は、本発明の一実施形態に係る、第２のレールが所定の位置に位置し且つ第１のレールの操作部材の一部が第２のレールともはや係合しないように操作部材の一部が操作された状態を示す斜視図である。
【図１２】図１２は、本発明の一実施形態に係る、第１のレールに対して所定の位置から別の位置へと第１の方向に動かされた第２のレールを示す図である。
【図１３】図１３は、図１２の領域Ａを示す部分拡大図である。
【図１４】図１４は、本発明の一実施形態に係る、第１のレールに対して第２の方向に引っ込められた第２のレールを示す図である。
【図１５】図１５は、図１４の領域Ａを示す部分拡大図である。
【図１６】図１６は、本発明の一実施形態に係る、第１のレールに対して第２の方向にさらに引っ込められた第２のレールを示す図である。
【図１７】図１７は、図１６の領域Ａを示す部分拡大図である。
【発明を実施するための形態】
【００２５】
図１に示すように、本発明の一実施形態に係るスライドレールアセンブリ２０はラックに取り付けることができる。具体的には、スライドレールアセンブリ２０は第１のブラケット２２及び第２のブラケット２４を通じてラックの第１のポスト２６ａ及び第２のポスト２６ｂに取り付けることができる。
【００２６】
図２及び図３に示すように、スライドレールアセンブリ２０は第１のレール２８、第２のレール３０及び位置決め装置３２を含む。スライドレールアセンブリ２０は第３のレール３４、操作部材３６及び同期部材３８をさらに含むことが好ましい。
【００２７】
第１のレール２８は第１の構造４０及び第２の構造４２を含む。第１のレール２８は第１の壁４４ａ、第２の壁４４ｂ及び第１の壁４４ａと第２の壁４４ｂとの間に接続される側壁４６を含むことが好ましい。第１のレール２８の第１の壁４４ａ、第２の壁４４ｂ及び側壁４６は共に通路４８を定義する。第１のレール２８は第１の解消部５０及び第２の解消部５２をさらに含むことが好ましい。
【００２８】
第１の構造４０、第２の構造４２、第１の解消部５０及び第２の解消部５２は側壁４６及び通路４８内に配置されることが好ましい。第１の構造４０及び第２の構造４２は第１のレール２８の前部２８ａと後部２８ｂとの間に位置することが好ましい。第１の構造４０は第２の構造４２に隣接することが好ましい。第１の構造４０は孔又は凹部であり、第２の構造４２は傾斜面又はキャンバー面を含むことが好ましい。第１の解消部５０は第１の構造４０（第２の構造４２）と平行であることが好ましい。第１の解消部５０は傾斜面又はキャンバー面を含むことが好ましい。第２の解消部５２は第１のレール２８の後部２８ｂに隣接して配置されていることが好ましい。第２の解消部５２は傾斜面又はキャンバー面を含むことが好ましい。
【００２９】
なお、第２のブラケット２４は第１のレール２８の後部２８ｂに隣接して調節可能に配置される。他方、第１のブラケット２２は第１のレール２８の前部２８ａに隣接して取り付けられる。例えば、第１のブラケット２２は第１のレール２８の前部２８ａに隣接してリベット留め、溶接等により固定される。したがって、第１のブラケット２２は第１のレール２８の一部と見なすことができる。操作部材３６は第１のレール２８の第１のブラケット２２に配置され、操作部材３６は第１のブロック部３６ａを含むことが好ましい。操作部材３６は弾性部３６ｂをさらに含むことが好ましい。第１のブロック部３６ａは弾性部３６ｂに配置されるが、そのような構成に限定されない。弾性部３６ｂの位置は第１のレール２８の空間３７に対応することが好ましい。空間３７は第１のレール２８の通路４８と連通する。
【００３０】
第２のレール３０は第１のレール２８に対して長手方向に可動である。例えば、第２のレール３０は第１のレール２８の通路４８内で可動に取り付けられる。第２のレール３０は第１の壁５８ａ、第２の壁５８ｂ及び第１の壁５８ａと第２の壁５８ｂとの間に接続される側壁６０を有することが好ましい。第２のレール３０の第１の壁５８ａ、第２の壁５８ｂ及び側壁６０は共に通路６２を定義する。第２のレール３０の第１の壁５８ａ、第２の壁５８ｂ及び側壁６０の位置は第１のレール２８の第１の壁４４ａ、第２の壁４４ｂ及び側壁４６の位置にそれぞれ対応する。
【００３１】
位置決め装置３２は第２のレール３０に配置される。位置決め装置３２は位置決め部材６４及び弾性部材６６（この部分については図４及び図５を参照されたい）を含む。弾性部材６６は、位置決め部材６４に弾性力を提供するように構成された第１の弾性区画６６ａを含む。弾性部材６６は、同期部材３８に弾性力を提供するように構成された第２の弾性区画６６ｂをさらに含むことが好ましい。弾性部材６６は、接続区画６６ｃを通じて第２のレール３０の側壁６０に接続される（例えば固定される）ことが好ましい。位置決め部材６４及び同期部材３８は第２のレール３０に枢結され、位置決め部材６４及び同期部材３８は互いに対して回転可能である。本実施形態では、一例として、位置決め部材６４及び同期部材３８はシャフト６８を通じて第２のレール３０の側壁６０に枢結され、位置決め部材６４及び同期部材３８は互いに対して回転する構成であるが、本発明はこのような構成に限定されない。第２のレール３０の側壁６０は第１の孔Ｈ１、第２の孔Ｈ２及び第３の孔Ｈ３を有することが好ましい。第１の孔Ｈ１及び第２の孔Ｈ２の位置は位置決め部材６４及び同期部材３８の位置にそれぞれ対応する。第３の孔Ｈ３は第１の孔Ｈ１と連通し、第３の孔Ｈ３の位置は位置決め部材６４の第３の構造６４ｂに対応する。位置決め部材６４及び同期部材３８は第２のレール３０の後部３０ｂに隣接して位置することが好ましい。スライドレールアセンブリ２０は第２のレール３０に配置される保持部材７０をさらに含むことが好ましい。保持部材７０は柔軟部７０ａを有する。柔軟部７０ａは位置決め部材６４の伸長区画６４ａと協働でき、位置決め部材６４の第３の構造６４ｂ及び伸長区画６４ａはそれぞれ位置決め部材６４の２つの端部である。第２のレール３０は第２のブロック部７４を有することが好ましい。第２のブロック部７４は操作部材３６の第１のブロック部３６ａと協働するように構成されている。第２のブロック部７４は第２のレール３０の貫通孔７５の周りの壁である。スライドレールアセンブリ２０は、第１のレール２８及び第２のレール３０の間に配置されて第１のレール２８に対する第２のレール３０の動きの滑らかさを促進するための補助摺動装置をさらに含むことが好ましい。補助摺動装置は第１のビーズストリップ５４ａ及び第２のビーズストリップ５４ｂを含むことが好ましい。第１のビーズストリップ５４ａは第１のレール２８の第１の壁４４ａ及び第２のレール３０の第１の壁５８ａに摺動可能に当接するとともに、第１の壁４４ａ及び第１の壁５８ａの間に位置する。第２のビーズストリップ５４ｂは第１のレール２８の第２の壁４４ｂ及び第２のレール３０の第２の壁５８ｂに摺動可能に当接するとともに、第２の壁４４ｂ及び第２の壁５８ｂの間に位置する。ビードストリップ５４ａ、５４ｂのそれぞれは長手方向に所定の長さを有し、複数のボール５５を含む。第１のレール２８の前側ブロック部５６は第１のレール２８の前部２８ａに隣接して配置されることが好ましい。本実施形態では、一例として、一対の前側ブロック部５６が第１のレール２８の第１の壁４４ａ及び第２の壁４４ｂに位置し、一対の前側ブロック部５６は第１のビーズストリップ５４ａ及び第２のビーズストリップ５４ｂの前端Ｆに対応する。第２のレール３０の後ろ側ブロック部７２は第２のレール３０の後部３０ａに隣接して配置されることが好ましい。本実施形態では、一例として、一対の後ろ側ブロック部７２が第２のレール３０の第１の壁５８ａ及び第２の壁５８ｂに位置し、一対の後ろ側ブロック部７２は第１のビーズストリップ５４ａ及び第２のビーズストリップ５４ｂの後端Ｂに対応する。
【００３２】
第３のレール３４は第２のレール３０に対して長手方向に動かすことができる。例えば、第３のレール３４は第２のレール３０の通路６２内で可動に取り付けられる。第３のレール３４は第１の壁７６ａ、第２の壁７６ｂ及び第１の壁７６ａと第２の壁７６ｂとの間に接続される側壁７８を有することが好ましい。第３のレール３４の第１の壁７６ａ、第２の壁７６ｂ及び側壁７８の位置は第２のレール３０の第１の壁５８ａ、第２の壁５８ｂ及び側壁７８の位置にそれぞれ対応する。第３のレール３４は同期部材３８と協働するように構成された同期部８０を有することが好ましい。同期部８０は突起部として第３のレール３４の側壁７８に配置されることが好ましい。
【００３３】
図３、図４、図６及び図７に示すように、スライドレールアセンブリ２０は引っ込められた状態にある。具体的には、第２のレール３０（及び第３のレール３４）は第１のレール２８に対して第１の位置Ｐ１（例えば引っ込め位置）に位置するが、係る位置に限定されない。位置決め部材６４は、弾性部材６６の第１の弾性区画６６ａにより生成される弾性力に反応して初期位置Ｓ１に位置でき、位置決め部材６４の第３の構造６４ｂは第２のレール３０の側壁６０の第３の孔Ｈ３を通じて第１のレール２８の側壁４６に当接できる。位置決め部材６４が初期位置Ｓ１に位置する場合、位置決め部材６４の伸長区画６４ａは保持部材７０の柔軟部７０ａに隣接する。
【００３４】
第２のレール３０が第１のレール２８に対して第１の位置Ｐ１に位置する場合、第１のレール２８の第２の解消部５２の一部は位置決め部材６４を支持することができる。加えて、位置決め部材６４と第１のレール２８の第１の構造４０及び第２の構造４２の間に所定の距離がある。他方、同期部材３８は弾性部材６６の第２の弾性区画６６ｂにより生成される弾性力に反応して初期状態Ｘ１にあることができる。初期状態Ｘ１にある場合、同期部８０は、第２のレール３０及び第３のレール３４を第１の方向Ｄ１に同期的に動かすことができるように同期部材３８の係合部３８０に当接できる。加えて、同期部材３８と第１のレール２８の第１の解消部５０との間に所定の距離があり、第２のレール３０の第２のブロック部７４と操作部材３６の第１のブロック部３６ａとの間に所定の距離がある。加えて、第１のビードストリップ５４ａ及び第２のビードストリップ５４ｂは第１のレール２８の前側ブロック部５６と第２のレール３０の後ろ側ブロック部７２との間に位置する。
【００３５】
図６〜図９に示すように、第２のレール３０及び第３のレール３４が第１のレール２８に対して第１の位置Ｐ１から第２の位置Ｐ２（例えば第１の伸長位置）へと第１の方向Ｄ１に同期的に動かされた場合、位置決め部材６４は、弾性部材６６の第１の弾性区画６６ａにより放たれる弾性力を通じて（図６又は図７に示す）初期位置Ｓ１から係合位置Ｓ２に動かされ、位置決め部材６４の第３の構造６４ｂを駆動し（図８又は図９に示す）第１のレール２８の第１の構造４０に当接させて、第２のレール３０が第１のレール２８に対して第１の方向Ｄ１とは反対の第２の方向Ｄ２に動くのが防止される。位置決め部材６４が係合位置Ｓ２に位置する場合、位置決め部材６４の伸長区画６４ａは保持部材７０の柔軟部７０ａに対して僅かに上方に傾斜する。
【００３６】
第２のレール３０が第１のレール２８に対して第２の位置Ｐ２に位置する場合、第２のレール３０の第２のブロック部７４及び貫通孔７５の位置は第１のレール２８の操作部材３６の第１のブロック部３６ａに対応することが好ましい。操作部材３６の第１のブロック部３６ａは、第１のブロック部３６ａ及び第２のブロック部７４が互いに妨害し合って第２のレール３０が第１のレール２８に対して第２の位置Ｐ２から第１の方向Ｄ１に動くのを防止できるように、弾性部３６ｂの弾性力に対応してブロック位置Ｙ１（この部分については図１０を参照）に位置することができる。
【００３７】
第２のレール３０及び第３のレール３４が第１のレール２８に対して第２の位置Ｐ２に位置する場合、第１のレール２８の第１の解消部５０は、第２のレール３０と第３のレール３４との間の同期関係を解消するよう構成されている。例えば、同期部材３８は、第１の解消部５０の傾斜面又はキャンバー面５０ａと接触することを通じて所定の角度偏向して同期部８０及び同期部材３８がもはや互いに妨害し合うことがないようにする。即ち、同期部材３８はもはや初期状態Ｘ１ないため（例えば別の状態Ｘ２にある）、第２のレール３０と第３のレール３４との間の同期関係が解消される。したがって、第３のレール３４を第２のレール３０に対して第２の位置Ｐ２から第１の方向Ｄ１にさらに動かすことができ、第２のレール３０から外すことができる（この部分については、第３のレール３４が第２のレール３０の通路６２から外れている図１０を参照）。は第３のレール３４を第２のレール３０から外す技術は本発明の技術分野の当業者によく知られているため、簡潔性のために説明は省略する。
【００３８】
第２のレール３０が第１のレール２８に対して第２の位置Ｐ２に位置している場合、第１のビードストリップ５４ａ及び第２のビードストリップ５４ｂの前端Ｆと第1のレール２８の前側ブロック部５６との間に間隙Ｇがある。
【００３９】
図１０〜図１３に示すように、第２のレール３０は第１のレール２８に対して第２の位置Ｐ２から第３の位置Ｐ３（例えば第２の伸長位置）に動かすことができる。操作部材３６は、第２のレール３０を第１のレール２８に対して第３の位置Ｐ３へと第１の方向Ｄ１に動かすことができるように、第１のブロック部３６ａを駆動してブロック位置Ｙ１から離し（例えば、図１１及び図１２を参照することで分かる非ブロック位置Ｙ２に位置するように）、第２のレール３０の第２のブロック部７４をもはや妨害しないように操作可能であることが好ましい。
【００４０】
第２のレール３０が第１のレール２８に対して第２の位置Ｐ２から第３の位置Ｐ３へと第１の方向Ｄ１に間隙Ｇと実質的に等しい距離動かされた場合、位置決め部材６４は、第１のレール２８の第２の構造４２の傾斜面又はキャンバー面４２ａの案内により係合位置Ｓ２から非係合位置Ｓ３に動かされ、（図１２又は図１３に示すように）第１のレール２８の第１の構造４０ともはや当接しない。係るプロセスの間、第２のレール３０の後ろ側ブロック部７２は、第２のレール３０が第３の位置Ｐ３に位置するまで第１のビードストリップ５４ａ及び第２のビードストリップ５４ｂを第１の方向Ｄ１に駆動することができ、第１のビードストリップ５４ａ及び第２のビードストリップ５４ｂの前端Ｆが第１のレール２８の前側ブロック部５６と当接して第２のレール３０が第１のレール２８に対して第３の位置Ｐ３から第１の位置Ｄ１にさらに動くのが防止される。なお、位置決め部材６４が（図９に示す）係合位置Ｓ２から（図１３に示す）非係合位置Ｓ３に動かされるプロセスの間、位置決め部材６４の伸長区画６４ａは保持部材７０の柔軟部７０ａの一方側を渡って柔軟部７０ａの別の側に到達する。位置決め部材６４の伸長区画６４ａに作用する保持部材７０の柔軟部７０ａの保持力を通じて、位置決め部材６４は非係合位置Ｓ３で保持される。保持物体７０の保持力は弾性部材６６の第１の弾性区画６６ａの弾性力よりも大きいことが好ましい。
【００４１】
さらに、第２のレール３０は第１のレール２８に対して第３の位置Ｐ３から第１の位置Ｐ１へと第２の方向Ｄ２に引っ込めることができる。位置決め部材６４は非係合位置Ｓ３に位置するため、位置決め部材６４は、第２のレール３０が第２の方向Ｄ２に動かされた場合、第１のレール２８の第１の構造４０と係合しない。
【００４２】
なお、第２のレール３０が第１のレール２８に対して第２の位置Ｐ２から第３の位置Ｐ３へと第１の方向Ｄ１に動かされ、位置決め部材６４が弾性部材６６の第１の弾性区画６６ａの弾性力に反応するのが遅すぎて非係合位置Ｓ３を離れることができるよう第３の位置Ｐ３から第２の方向Ｄ２に移動する第２のレール３０の速度が十分早い場合、第２のレール３０も第３の位置Ｐ３から第２の方向Ｄ２に動かすことができる。即ち、実施の間、保持部材７０を通じて位置決め部材６４を非係合位置Ｓ３で保持する必要がない。
【００４３】
図１４〜図１７に示すように、第２のレール３０が第２のレール２８に対して第１の位置Ｐ１へと第２の方向Ｄ２に動かされた場合（この部分については図６を参照）、位置決め部材６４は保持部材７０の保持力から解放されて、第１のレール２８の第２の解消部５２の傾斜面又はキャンバー面５２ａの案内により非係合位置Ｓ３から初期位置Ｓ１に戻るよう動かされる（この部分については図６参照）。なお、位置決め部材６４が（図１５に示す）非係合位置Ｓ３から（図１７に示す）初期位置Ｓ１に動かされた場合、位置決め部材６４の伸長区画６４ａは保持部材７０の柔軟部７０ａの別の側から柔軟部７０ａの一方側に戻るよう動かされる。他方、同期部材３８は、弾性部材６６の第２の弾性区画６６ｂにより生成される弾性力に反応して初期状態Ｘ１に戻ることができる。
【００４４】
したがって、本発明のスライドレールアセンブリは以下のように特徴付けられる。
【００４５】
１）ユーザーは、第２のレールの後部に手を伸ばす必要はなく、スライドレールアセンブリの前に立って変位の方向を操作することにより第２のレール３０と第１のレール２８との間の同期関係を解消できる。これは、第１のレール２８に対して第２のレール３０を引っ込め易くし、操作をより素早く且つより便利に行うことができるようになる。
【００４６】
２）第２のレール３０が第１のレール２８に対して第１の位置Ｐ１から第２の位置Ｐ２へと第１の方向Ｄ１に動かされた場合、位置決め部材６４は初期位置Ｓ１から係合位置Ｓ２に動かされ、弾性部材６６によって放たれる弾性力を通じて第１のレール２８の第１の構造４０と当接し、第２のレール３０が第１のレール２８に対して第２の方向Ｄ２に動くのが防止される。第２のレール３０が第１のレール２８に対して第２の位置Ｐ２から第３の位置Ｐ３へと第１の方向Ｄ１に動かされた場合、位置決め部材６４は、第２のレール３０が第１のレール２８に対して第２の方向Ｄ２に動かすことができるように、第１のレール２８の第２の構造４２の案内により係合位置Ｓ２から非係合位置Ｓ３に動かされ、第１のレール２８の第１の構造４０にもはや当接しない。
【００４７】
３）第２のレール３０が第１のレール２８に対して第２の位置Ｐ２に位置する場合、操作部材３６の第１のブロック部３６ａがブロック位置Ｙ１に位置し、第２のレール３０の第２のブロック部７４を妨害して第２のレール３０が第１のレール２８に対して第１の方向Ｄ１に動くのが防止される。
【００４８】
４）操作部材３６は、第２のレール３０が第１のレール２８に対して第２の位置Ｐ２から第３の位置Ｐ３へと第１の方向Ｄ１に動かすことができるように、第１のブロック部３６ａを駆動してブロック位置Ｙ１から離れさせて、第２のレール３０の第２のブロック部７４をもはや妨害しないようにするよう操作可能である。位置決め部材６４は第１のレール２８の第２の構造４２の案内により係合位置Ｓ２から非係合位置Ｓ３へと移動して、第１のレール２８の第１の構造４０ともはや当接しない。
【００４９】
５）第２のレール３０が第１のレール２８に対して第２の位置Ｐ２に位置する場合、第１のビードストリップ５４ａ及び第２のビードストリップ５４ｂの間の前端Ｆと第１のレール２８の前側ブロック部５６との間に間隙Ｇがあり、第２のレール３０は第１のレール２８に対して第２の位置Ｐ２から第３の位置Ｐ３へと第１の方向Ｄ１に間隙Ｇと等しい距離動かすことができる。
【００５０】
６）第２のレール３０が第１のレール２８に対して第３の位置Ｐ３に位置する場合、第２のレール３０の後ろ側ブロック部７２は、第１のビードストリップ５４ａ及び第２のビードストリップ５４ｂの前端Ｆを通じて第１のレール２８の前側ブロック部５６と当接して第２のレール３０が第１のレール２８に対して第３の位置Ｐ３から第１の方向Ｄ１に動くのが防止される。
【００５１】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００５２】
２０  スライドレールアセンブリ
２２  第１のブラケット
２４  第２のブラケット
２６ａ、２６ｂ  第１のポスト、第２のポスト
２８  第１のレール
３０  第２のレール
３２  位置決め装置
３４  第３のレール
３６  操作部材
３８  同期部材
４０  第１の構造
４２  第２の構造
４４ａ、４４ｂ  第１の壁、第２の壁
４６  側壁
４８  通路
５０  第１の解消部
５２  第２の解消部
５４ａ、５４ｂ  第１のビーズストリップ、第２のビーズストリップ
５６  前側ブロック部
５８ａ、５８ｂ  第１の壁、第２の壁
６０  側壁
６２  通路
６４  位置決め部材
６６  弾性部材
６８  シャフト
７０  保持部材
７２  後ろ側ブロック部
７４  第２のブロック部
７６ａ、７６ｂ  第１の壁、第２の壁
７８  側壁
８０  同期部
【図１】
2020014829.tif 000003
【図２】
2020014829.tif 000004
【図３】
2020014829.tif 000005
【図４】
2020014829.tif 000006
【図５】
2020014829.tif 000007
【図６】
2020014829.tif 000008
【図７】
2020014829.tif 000009
【図８】
2020014829.tif 000010
【図９】
2020014829.tif 000011
【図１０】
2020014829.tif 000012
【図１１】
2020014829.tif 000013
【図１２】
2020014829.tif 000014
【図１３】
2020014829.tif 000015
【図１４】
2020014829.tif 000016
【図１５】
2020014829.tif 000017
【図１６】
2020014829.tif 000018
【図１７】
2020014829.tif 000019